(57)【要約】無線通信におけるメモリ必要量の低減のために判定メトリクス（例えば、ログ尤度比（ＬＬＲ））を量子化するための方法が記載される。この方法は、量子化アルゴリズムを選択することを含む。量子化アルゴリズムは、通信チャネルによって受信された伝送ブロックを示す判定メトリクスの特徴と、伝送ブロックの特徴と、および／または、通信チャネルの条件と、に応じて選択されうる。この方法はさらに、伝送ブロックを示す少なくとも１つの量子化された判定メトリクスを生成するために、選択された量子化アルゴリズムを用いて、判定メトリクスを量子化することを含む。この方法はさらに、復号前に、伝送ブロックを示す判定メトリクスの回復を可能にするために、選択された量子化アルゴリズムの印と、量子化された判定メトリクスとを格納することを含む。
2013535912.tif 000002
【特許請求の範囲】
【請求項１】
無線通信の方法であって、
通信チャネルによって受信された伝送ブロックを示す少なくとも１つの判定メトリクスの特徴、前記伝送ブロックの特徴、または前記通信チャネルの条件、のうちの少なくとも１つに応じて量子化アルゴリズムを選択することと、
前記伝送ブロックを示す少なくとも１つの量子化された判定メトリクスを生成するために、前記選択された量子化アルゴリズムを用いて、前記少なくとも１つの判定メトリクスを量子化することと、
復号前に、前記伝送ブロックを示す前記少なくとも１つの判定メトリクスの回復を可能にするために、前記選択された量子化アルゴリズムの印と、前記少なくとも１つの量子化された判定メトリクスとを格納することと、
を備える方法。
【請求項２】
前記少なくとも１つの判定メトリクスは、ログ尤度比（ＬＬＲ）を備える、請求項１に記載の方法。
【請求項３】
ログ尤度比のサブセットを、高い精度の値として計算することと、
前記ログ尤度比のサブセットを、ビット・インデクスおよび変調タイプに基づいて、グループへソートすることと、
前記グループのおのおのについて、量子化アルゴリズムを選択することと、
をさらに備える請求項２に記載の方法。
【請求項４】
前記量子化アルゴリズムによって使用されるパラメータのセットが、リアル・タイムで生成され、復号前に、伸張のために、ログ尤度比のグループとともに格納される、請求項３に記載の方法。
【請求項５】
前記グループのおのおののヒストグラムを計算することと、
前記グループのおのおのに対応するヒストグラムに基づいて、前記グループのおのおののために、ルック・アップ・テーブルを選択することと、
をさらに備える請求項３に記載の方法。
【請求項６】
前記量子化アルゴリズムは、ルック・アップ・テーブルを備え、
前記方法はさらに、
高精度のＬＬＲの入力に応じて、対応する低精度のＬＬＲを生成するために、選択されたルック・アップ・テーブルを適用することと、
前記低精度のＬＬＲを、前記選択されたルック・アップ・テーブルを識別するインデクスとともにメモリに格納することと、
を備える請求項２に記載の方法。
【請求項７】
前記メモリに格納された低精度のＬＬＲのために、前記選択されたルック・アップ・テーブルを識別するインデクスを適用することと、
前記高精度のＬＬＲを回復するために、前記低精度のＬＬＲに応じて、前記識別された、選択されたルック・アップ・テーブルを適用することと、
をさらに備える請求項６に記載の方法。
【請求項８】
変調および符号化スキーム（ＭＣＳ）、またはビット・タイプのうちの少なくとも１つの値のそれぞれの値のための複数のパラメータを生成することと、
前記伝送ブロックのＭＣＳ、前記伝送ブロックのサイズ、またはルック・アップ・テーブル・インデクスのうちの少なくとも１つに基づいて、前記伝送ブロックのためのルック・アップ・テーブルを選択することと、
をさらに備える請求項２に記載の方法。
【請求項９】
前記量子化アルゴリズムは、第１の送信のためのＬＬＲを示すためのより多くのビットと、少なくとも１つのその後の送信のためのＬＬＲを示すためのより少ないビットとを選択する、請求項２に記載の方法。
【請求項１０】
前記少なくとも１つの判定メトリクスは、ログ尤度比（ＬＬＲ）を備え、
前記量子化アルゴリズムは、変調および符号化スキーム（ＭＣＳ）、信号対干渉および雑音比（ＳＩＮＲ）、ＬＬＲ平均、またはＬＬＲの分散のうちの少なくとも１つに基づいて選択された圧縮ルック・アップ・テーブルおよび圧縮ビット幅のうちの１つを備える、請求項１に記載の方法。
【請求項１１】
無線通信のための装置であって、
メモリと、
前記メモリに接続された少なくとも１つのプロセッサとを備え、
前記少なくとも１つのプロセッサは、
通信チャネルによって受信された伝送ブロックを示す少なくとも１つの判定メトリクスの特徴、前記伝送ブロックの特徴、または前記通信チャネルの条件、のうちの少なくとも１つに応じて量子化アルゴリズムを選択し、
前記伝送ブロックを示す少なくとも１つの量子化された判定メトリクスを生成するために、前記選択された量子化アルゴリズムを用いて、前記少なくとも１つの判定メトリクスを量子化し、
復号前に、前記伝送ブロックを示す前記少なくとも１つの判定メトリクスの回復を可能にするために、前記選択された量子化アルゴリズムの印と、前記少なくとも１つの量子化された判定メトリクスとを格納する
ように構成された、装置。
【請求項１２】
前記少なくとも１つの判定メトリクスは、ログ尤度比（ＬＬＲ）を備える、請求項１１に記載の装置。
【請求項１３】
前記少なくとも１つのプロセッサはさらに、
ログ尤度比のサブセットを、高い精度の値として計算し、
前記ログ尤度比のサブセットを、ビット・インデクスおよび変調タイプに基づいて、グループへソートし、
前記グループのおのおのについて、量子化アルゴリズムを選択する
ように構成された、請求項１２に記載の装置。
【請求項１４】
前記量子化アルゴリズムによって使用されるパラメータのセットが、リアル・タイムで生成され、復号前に、伸張のために、ログ尤度比（ＬＬＲ）のグループとともに格納される、請求項１３に記載の装置。
【請求項１５】
前記少なくとも１つのプロセッサはさらに、
前記グループのおのおののヒストグラムを計算し、
前記グループのおのおのに対応するヒストグラムに基づいて、前記グループのおのおののために、ルック・アップ・テーブルを選択する
ように構成された、請求項１３に記載の装置。
【請求項１６】
前記量子化アルゴリズムは、ルック・アップ・テーブルを備え、
前記少なくとも１つのプロセッサはさらに、
高精度のＬＬＲの入力に応じて、対応する低精度のＬＬＲを生成するために、選択されたルック・アップ・テーブルを適用し、
前記低精度のＬＬＲを、前記選択されたルック・アップ・テーブルを識別するインデクスとともに前記メモリに格納する
ように構成された、請求項１２に記載の装置。
【請求項１７】
前記少なくとも１つのプロセッサはさらに、
前記メモリに格納された低精度のＬＬＲについて、前記選択されたルック・アップ・テーブルを識別するインデクスを適用し、
前記高精度のＬＬＲを回復するために、前記低精度のＬＬＲに応じて、前記識別された、選択されたルック・アップ・テーブルを適用する
ように構成された、請求項１６に記載の装置。
【請求項１８】
前記少なくとも１つのプロセッサはさらに、
変調および符号化スキーム（ＭＣＳ）、またはビット・タイプのうちの少なくとも１つの値のそれぞれの値のための複数のパラメータを生成し、
前記伝送ブロックのＭＣＳ、前記伝送ブロックのサイズ、またはルック・アップ・テーブル・インデクスのうちの少なくとも１つに基づいて、前記伝送ブロックのためのルック・アップ・テーブルを選択する
ように構成された、請求項１２に記載の装置。
【請求項１９】
前記量子化アルゴリズムは、第１の送信のためのＬＬＲを示すためのより多くのビットと、少なくとも１つのその後の送信のためのＬＬＲを示すためのより少ないビットとを選択する、請求項１２に記載の装置。
【請求項２０】
前記少なくとも１つの判定メトリクスは、ログ尤度比（ＬＬＲ）を備え、
前記量子化アルゴリズムは、変調および符号化スキーム（ＭＣＳ）、信号対干渉および雑音比（ＳＩＮＲ）、ＬＬＲ平均、またはＬＬＲの分散のうちの少なくとも１つに基づいて選択された圧縮ルック・アップ・テーブルおよび圧縮ビット幅のうちの１つを備える、請求項１１に記載の装置。
【請求項２１】
無線ネットワークにおける無線通信のためのコンピュータ・プログラム製品であって、
記録された非一時的なプログラム・コードを有する非一時的なコンピュータ読取可能な媒体を備え、前記プログラム・コードは、
通信チャネルによって受信された伝送ブロックを示す少なくとも１つの判定メトリクスの特徴、前記伝送ブロックの特徴、または前記通信チャネルの条件、のうちの少なくとも１つに応じて量子化アルゴリズムを選択するためのプログラム・コードと、
前記伝送ブロックを示す少なくとも１つの量子化された判定メトリクスを生成するために、前記選択された量子化アルゴリズムを用いて、前記少なくとも１つの判定メトリクスを量子化するためのプログラム・コードと、
復号前に、前記伝送ブロックを示す前記少なくとも１つの判定メトリクスの回復を可能にするために、前記選択された量子化アルゴリズムの印と、前記少なくとも１つの量子化された判定メトリクスとを格納するためのプログラム・コードと
を備える、コンピュータ・プログラム製品。
【請求項２２】
前記少なくとも１つの判定メトリクスは、ログ尤度比（ＬＬＲ）を備え、
前記量子化アルゴリズムは、変調および符号化スキーム（ＭＣＳ）、信号対干渉および雑音比（ＳＩＮＲ）、ＬＬＲ平均、またはＬＬＲの分散のうちの少なくとも１つに基づいて選択された圧縮ルック・アップ・テーブルおよび圧縮ビット幅のうちの１つを備える、請求項２１に記載のコンピュータ・プログラム製品。
【請求項２３】
無線通信のための装置であって、
通信チャネルによって受信された伝送ブロックを示す少なくとも１つの判定メトリクスの特徴、前記伝送ブロックの特徴、または前記通信チャネルの条件、のうちの少なくとも１つに応じて量子化アルゴリズムを選択する手段と、
前記伝送ブロックを示す少なくとも１つの量子化された判定メトリクスを生成するために、前記選択された量子化アルゴリズムを用いて、前記少なくとも１つの判定メトリクスを量子化する手段と、
復号前に、前記伝送ブロックを示す前記少なくとも１つの判定メトリクスの回復を可能にするために、前記選択された量子化アルゴリズムの印と、前記少なくとも１つの量子化された判定メトリクスとを格納する手段と、
を備える装置。
【請求項２４】
前記少なくとも１つの判定メトリクスは、ログ尤度比（ＬＬＲ）を備え、
前記量子化アルゴリズムは、変調および符号化スキーム（ＭＣＳ）、信号対干渉および雑音比（ＳＩＮＲ）、ＬＬＲ平均、またはＬＬＲの分散のうちの少なくとも１つに基づいて選択された圧縮ルック・アップ・テーブルおよび圧縮ビット幅のうちの１つを備える、
請求項２３に記載の装置。
【発明の詳細な説明】
【技術分野】
【０００１】
本開示の態様は、一般に、無線通信システムに関し、さらに詳しくは、無線通信ノードにおけるメモリ必要量の低減のために判定メトリクス（例えば、ログ尤度比（ＬＬＲ））を量子化することに関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００３】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００５】
モバイル・ブロードバンド・アクセスに対する需要が増加し続けているので、ＵＥが長距離無線通信ネットワークにアクセスすることや、短距離無線システムがコミュニティにおいて展開されることにより、干渉や混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【０００６】
さらに、基地局および／またはＵＥに含まれうるメモリが、例えば、コストおよびＵＥまたは基地局のサイズのような要因によって制約されうる。したがって、無線通信のために改善された方法および装置が望まれる。
【発明の概要】
【０００７】
本開示の１つの態様によれば、無線通信におけるメモリ必要量の低減のために判定メトリクス（例えば、ログ尤度比（ＬＬＲ））を量子化するための方法が記載される。この方法は、量子化アルゴリズムを選択することを含む。量子化アルゴリズムは、通信チャネルによって受信された伝送ブロックを示す判定メトリクスの特徴と、伝送ブロックの特徴と、および／または、通信チャネルの条件と、に応じて選択されうる。この方法はさらに、伝送ブロックを示す少なくとも１つの量子化された判定メトリクスを生成するために、選択された量子化アルゴリズムを用いて、判定メトリクスを量子化することを含む。この方法はさらに、復号前に、伝送ブロックを示す判定メトリクスの回復を可能にするために、選択された量子化アルゴリズムの印と、量子化された判定メトリクスとを格納することを含む。
【０００８】
別の態様では、無線通信におけるメモリ必要量の低減のために判定メトリクス（例えば、ログ尤度比（ＬＬＲ））を量子化するための装置が記載される。この装置は、少なくとも１つのプロセッサと、少なくとも１つのプロセッサに接続されたメモリとを含む。プロセッサ（単数または複数）は、量子化アルゴリズムを選択するように構成される。量子化アルゴリズムは、通信チャネルによって受信された伝送ブロックを示す判定メトリクスの特徴と、伝送ブロックの特徴と、および／または、通信チャネルの条件と、に応じて選択されうる。プロセッサ（単数または複数）は、伝送ブロックを示す少なくとも１つの量子化された判定メトリクスを生成するために、選択された量子化アルゴリズムを用いて、判定メトリクスを量子化するように構成される。プロセッサ（単数または複数）は、復号前に、伝送ブロックを示す判定メトリクスの回復を可能にするために、選択された量子化アルゴリズムの印と、量子化された判定メトリクスとを格納するように構成される。
【０００９】
さらなる態様では、無線通信におけるメモリ必要量の低減のために判定メトリクス（例えば、ログ尤度比（ＬＬＲ））を量子化するためのコンピュータ・プログラム製品が記載される。このコンピュータ・プログラム製品は、記録されたプログラム・コードを有するコンピュータ読取可能な媒体を含む。このコンピュータ・プログラム製品は、量子化アルゴリズムを選択するためのプログラム・コードを有する。量子化アルゴリズムは、通信チャネルによって受信された伝送ブロックを示す判定メトリクスの特徴と、伝送ブロックの特徴と、および／または、通信チャネルの条件と、に応じて選択されうる。このコンピュータ・プログラム製品は、伝送ブロックを示す少なくとも１つの量子化された判定メトリクスを生成するために、選択された量子化アルゴリズムを用いて、判定メトリクスを量子化するためのプログラム・コードを含む。このコンピュータ・プログラム製品はさらに、復号前に、伝送ブロックを示す判定メトリクスの回復を可能にするために、選択された量子化アルゴリズムの印と、量子化された判定メトリクスとを格納するためのプログラム・コードを含む。
【００１０】
別の態様では、無線通信におけるメモリ必要量の低減のために判定メトリクス（例えば、ログ尤度比（ＬＬＲ））を量子化するための装置が記載される。この装置は、量子化アルゴリズムを選択する手段を含む。量子化アルゴリズムは、通信チャネルによって受信された伝送ブロックを示す判定メトリクスの特徴と、伝送ブロックの特徴と、および／または、通信チャネルの条件と、に応じて選択されうる。この装置はさらに、伝送ブロックを示す少なくとも１つの量子化された判定メトリクスを生成するために、選択された量子化アルゴリズムを用いて、判定メトリクスを量子化する手段を含む。この装置はさらに、復号前に、伝送ブロックを示す判定メトリクスの回復を可能にするために、選択された量子化アルゴリズムの印と、量子化された判定メトリクスとを格納する手段を含む。
【００１１】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１２】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがう、無線通信ネットワークにおけるログ尤度比（ＬＬＲ）の選択的な量子化を概念的に例示するブロック図である。
【図６】図６は、本開示の１つの態様にしたがう、無線通信ネットワークにおけるログ尤度比（ＬＬＲ）の選択的な量子化の方法を例示するブロック図である。
【発明を実施するための形態】
【００１３】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００（登録商標）およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１５】
図１は、ＬＴＥ−Ａネットワークでありうる無線通信ネットワーク１００を示し、ここでは、無線通信ネットワークにおけるログ尤度比（ＬＬＲ）の選択的な量子化が実施されうる。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１６】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１７】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１８】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００１９】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２０】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２１】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２２】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印を持つ実線が、ＵＥと、ダウンリンクおよび／またはアップリンクでＵＥにサービス提供するように指定されたｅノードＢであるサービス提供ｅノードＢとの間の所望の送信を示す。両矢印を持つ破線は、ＵＥとｅノードＢとの間の干渉送信を示す。
【００２３】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。
【００２４】
例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２５】
図２は、ＬＴＥにおいて使用されるダウンリンクＦＤＤ構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２６】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２７】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２８】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２９】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許可されうる。
【００３０】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３１】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３２】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３３】
ＵＥは、ｅノードＢへ制御情報を送信するために、制御部分においてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３４】
ＰＳＣ、ＳＳＣ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Evolved Universal Terrestrial Radio Access (E-UTRA); Physical Channels and Modulation）と題された３ＧＰＰ  ＴＳ  ３６．２１１に記載されている。
【００３５】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３６】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３７】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３８】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３９】
コントローラ／プロセッサ４４０、４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、使用方法フロー・チャート図５および図６に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４０】
（無線通信ネットワークにおけるログ尤度比（ＬＬＲＳ）の選択的な量子化）  
例えばＬＴＥ、イボリューション−データ・オプティマイズド（ＥＶ−ＤＯ）、ＷＣＤＭＡ等のような物理レイヤ仕様では、移動局ノードおよび基地局ノードは、データ・スループットの改善、および、送信信頼性の向上のために、ハイブリッド自動反復要求（ＨＡＲＱ）スキームを適用する。ＨＡＲＱスキームは、データ再送信からのその後の判定メトリクスと結合されうる判定メトリクスを一時的に格納することによって、送信信頼性を提供する。本明細書で説明するように、用語「判定メトリクス」は、限定される訳ではないが、ログ尤度比（ＬＬＲ）を含む、“０”または“１”である送信ビットの事後確率または尤度（軟値）を称しうる。このような判定メトリクスのグループは、送信されたシーケンス（例えば、伝送ブロック）を復号するために、復号器によって使用されうる。
【００４１】
ＨＡＲＱスキームを適用する際、ノードは、破壊された伝送ブロックの判定メトリクスを、伝送ブロックの再送信を示す判定メトリクスと結合するために、大量のメモリを使用する。高送信レートで動作するＬＴＥモデムでは、破壊された受信パケットの正しい復号を保証するために格納される必要のある判定メトリクスの数がかなりある場合がある。これは、ハードウェアのコスト、サイズ、および電力消費量を押し上げる。これらのＬＴＥモデムの総サイズのうちの実質的な部分は、例えば、ＨＡＲＱスキームのために使用されるメモリに専用のものである。
【００４２】
現在、各ＬＬＲに６ビットが割り当てられうる。これは、−３１と＋３１との間の値である。本開示の態様によれば、ＬＬＲ毎のビット数が（例えば、２または３ビットに）圧縮され、これによって、データ・スループット利得を失うことなく、または、オリジナルの判定メトリクスを失うことなく、ＨＡＲＱスキームを実施するためのメモリが低減される。例えばＬＬＲのような判定メトリクスは、低減された、または、最小の情報損失で判定メトリクスの圧縮を増加させるために、判定メトリクス分散またはその他の特性の知見を用いて選択および／または適用されるさまざまな量子化アルゴリズムにしたがって、（例えば、非線形的手法で）量子化されうる。
【００４３】
本明細書で説明されるように、量子化は、Ｎビット・ワードとして表される判定メトリクスを採用し、それをＭビット・ワードによって表す処理を称する。ここで、Ｍ＜Ｎである。１より多くのユニークなＮビット・ワードが、同じＭビット・ワードにマップする場合、精度が落ちうる。１つの態様では、Ｎビット・ワードからＭビット・ワードへのマッピングは、非線形的である（例えば、ワードＭ＝スケール＊ワードＮは、必ずしも正しくない）。ＬＬＲは、復号のための判定メトリクスとして通常使用されている。その他のタイプの判定メトリクスも、復号のために使用されうる。
【００４４】
多くの移動局モデム（ＭＳＭ）設計では、６ビットの対称で一様な量子化が、ＨＡＲＱバッファに格納される前に、各ＬＬＲに適用される。したがって、いくつかの大きなＬＬＲは、＋／−３１に飽和される一方、いくつかの小さなＬＬＲは、０に量子化される。実際、ＬＬＲ値＋３１は、受信された復調シンボルが“１”ビットを示す高い確率を示し、ＬＬＲ値−３１は、受信された復調シンボルが“０”ビットを示す高い確率を示しうる。復調シンボルを復号することは、受信されたＬＬＲ値が、＋３１と−３１との間の値になる場合に、問題となる。特定のデータ・パケットがＨＡＲＱ処理の一部として再送信された場合、特定のビットの再送信のためのＬＬＲ値が、ともに追加され、特定のビットが具体的な値を有する確率が調節される。
【００４５】
１つの態様では、ＬＬＲビットの数は、例えば、最下位３ビットのように、ＬＬＲのある数の下位ビットを破棄することによって、ＬＬＲ値を切り詰めることによって低減されうる。１つの態様では、ＬＬＲのダイナミック・レンジを低減するための方法として、量子化前にＬＬＲにｍｕ−ｌａｗ圧縮が使用され、おのおのが、３ビットを用いて表されるようになる。本開示の態様によれば、ｍｕ−ｌａｗ圧縮を用いることにより、低減された量（例えば、半分）のＨＡＲＱバッファ・メモリを使用しうる。ｍｕ−ｌａｗ圧縮またはその他の何れかであるＬＬＲ圧縮は、所望の量子化を決定するために、あるＬＬＲ特性または送信特性を考慮しうる。量子化を最適化するための具体的なパラメータは、限定される訳ではないが、ＭＣＳ、ＳＩＮＲ、ＬＬＲ分散、ＬＬＲ条件付平均、ＬＬＲ条件付分散、符号−レート、ブロック・サイズ、ＨＡＲＱ処理における送信数、周波数および時間にわたるＲ／Ｆチャネル変動等を含みうる。
【００４６】
本開示の態様によれば、ＬＬＲ圧縮ビット幅は、再送信数にしたがって変動しうる。初期の送信には、履歴情報をあまり利用することはできないので、初期の送信のためには、ＬＬＲを量子化するために、より長めのビット幅が使用され、その後の送信のためには、ＬＬＲを量子化するために、より短いビット幅が使用されうる。
【００４７】
態様によれば、開示された方法は、ＬＬＲの非一様分布の利点を活用しうる。例示的な実施形態では、まず、デマッパが、高い精度の値として、Ｎ個のＬＬＲのサブセットを計算する（一般に、１１ビット以上）。その後、これらＬＬＲは、ビット・インデクスおよび変調タイプに基づいてグループへソートされる。１つの態様では、１または複数のビット・グループのヒストグラムが、計算されうる。
【００４８】
例えば、１６直交振幅変調（ＱＡＭ）の場合には、２つの最上位ビット（ＭＳＢ）のＬＬＲがグループＡとされる一方、その他の２つのＬＬＲがグループＢとされる。このソーティングは有益である。なぜなら、２つの最下位ビット（ＬＳＢ）のＬＬＲは、小さな値の分布を有し、もって、異なる最適な量子化スキームを有することが知られているからである。同様に、例えば６４ＱＡＭの場合には、シンボル内の６ビットが、各グループにおいて２ビットを持つ３つのグループへソートされる。ビット・グループのおのおののヒストグラムが生成される（例えば、計算される）。態様によれば、ビットのグルーピングに依存して、および／または、出力ＬＬＲに対する入力ＬＬＲの所望のマッピングに依存して、異なるルックアップ・テーブルが使用されうる。
【００４９】
１つの態様では、グループのヒストグラム、および、送信のパラメータに基づいて、予め定義されたルックアップ・テーブル（例えば、圧縮ルックアップ・テーブル）が選択されうるか、または、このルックアップ・テーブルが、オン・ザ・フライ（on-the-fly）で生成されうる。ルックアップ・テーブルへの入力は、グループからの高精度なＬＬＲ（例えば、各１１ビット）である。これらテーブルの出力は、各グループからＨＡＲＱバッファへ格納される低精度のＬＬＲ（例えば、各３ビット）である。各グループについて、どのルックアップ・テーブルが圧縮のために選択されるのかを示すインデクス、または、オン・ザ・フライで生成されたルックアップ・テーブルを定義するパラメータのセットもまた格納されうる。ＬＬＲが復号器に入力されると、この情報が、伸張のために使用されうる。
【００５０】
ＬＬＲは、いくつかの送信機パラメータに依存して、異なる分布を有しうる。異なるパラメータ・セットのために、複数のルックアップ・テーブルが保持されうる。ＬＬＲを圧縮するために、所与のパラメータ、良好または最適なルックアップ・テーブルが選択される。ルックアップ・テーブルを選択するための可能なパラメータは、限定される訳ではないが、変調および符号化スキーム（ＭＣＳ）、信号対干渉および雑音比（ＳＩＮＲ）、およびＬＬＲの分散を含みうる。
【００５１】
本開示の例示的な態様では、相互の情報を最大化または増加させるためのルックアップ・テーブルは、さまざまな信号対雑音比、変調順序、および伝送ブロック・サイズを用いて、所与のビット・グループのためのＬＬＲサンプルを生成することによって、オフラインで計算されうる。オリジナルのＬＬＲ分布が、サンプルの分布によって概算されるように、十分な数のサンプルが生成される。相互情報を増加または最大化させるための良好または最適なルックアップ・テーブルが、このサンプル分布に基づいて計算されうる。
【００５２】
本開示の別の例示的な態様では、ルックアップ・テーブルは、信号対雑音比、および変調順序に依存して調節可能でありうる。多くの異なるルックアップ・テーブルが、異なるビット・タイプ、ＭＣＳ、および信号対雑音比（ＳＮＲ）について計算される。この態様では、ルックアップ・テーブルへのテーブル・マッピング変調および符号化スキーム（ＭＣＳ）インデクスが格納されうる。ルックアップ・テーブルは、さらにＳＮＲにしたがって変化することが許容されうる。特に、ＳＮＲレベルを示すために、ＭＣＳレベルが使用さるる。例えば、（例えば、高データ・レートに基づいて）高いＭＣＳレベルが検出された場合、ＳＮＲレベルは低いと判定されうる。このような条件下では、低ＳＮＲレベルのために所望される量子化レベルが選択されうる。逆に、高ＳＮＲレベルが検出された場合、高ＳＮＲレベルのために、所望される量子化レベルが選択されうる。
【００５３】
本開示の別の例示的な態様では、ルックアップ・テーブルは、受信されたＬＬＲのヒストグラムにしたがって、オン・ザ・フライで生成されうる。ルックアップ・テーブルを生成するための動的な処理が適用されうる。ＬＬＲが受信されると、ヒストグラムが観察され、ルックアップ・テーブルが計算されうる。その後、ルックアップ・テーブルを定義するパラメータが、量子化されたＬＬＲと共に格納されうる。
【００５４】
本開示の別の例示的な態様では、ＬＬＲ圧縮ビット幅が、再送信の数にしたがって変更されうる。１つの態様では、第１の送信（または、最初のいくつかの送信）は、伝送ブロックのために符号化器によって生成された符号化ビットのサブセットを含みうる。その結果、伝送ブロックのＬＬＲは、ＨＡＲＱメモリ内に格納するために、低減された圧縮を適用しうる。なぜなら、ＨＡＲＱメモリは、（量子化後）符号化されたすべてのビットを保持するように設計されているからである。その後の再送信は、追加の符号化ビットを含みうるので、情報をＨＡＲＱメモリに格納するために、さらなる圧縮を適用する。１つの態様では、初期の送信のためには、ＬＬＲを量子化するために、より長めのビット幅が使用され、その後の送信のためには、ＬＬＲを量子化するために、より短いビット幅が使用されうる。
【００５５】
図５は、本開示の態様にしたがう、無線通信ネットワークにおけるログ尤度比（ＬＬＲ）の選択的な量子化を概念的に例示するブロック図である。代表的に、判定メトリクスｙｆｌｏａｔ５０１が、飽和ブロック５０２において受信される。１つの態様において、判定メトリクスｙｆｌｏａｔ５０１は、飽和ブロック５０２によって、最大飽和値（例えば、１１ビットＬＬＲ値）として表わされる。判定メトリクス５０１は、結合判定メトリクス  
【数１】
2013535912.tif 000003
【００５６】
５０５を提供するために、結合ブロック５０４において、以前に格納された判定メトリクス  
【数２】
2013535912.tif 000004
【００５７】
５３１と結合されうる。結合判定メトクスは、前述したＬＬＲ量子化技術のうちの何れか１つを用いて、量子化ブロック５１０において量子化される。６ビットを３ビットにするＬＬＲ量子化を提供するものとして例示されているが、説明された態様および特許請求の範囲のスコープ内でありながらその他の圧縮ビット幅および量子化アルゴリズムも可能であることが当業者によって認識されるべきである。
【００５８】
再び図５に示するように、量子化されたＬＬＲ値  
【数３】
2013535912.tif 000005
【００５９】
５１１は、固定点変換ブロック５１２、飽和ブロック５１４、および遅延ブロック５１６を経て、固定された量子化値  
【数４】
2013535912.tif 000006
【００６０】
５１７が提供される。この固定された量子化値５１７は、入力された判定メトリクス５０１の初期ビット幅未満である圧縮ビット幅で、ＬＬＲバッファ５２０に格納される。この固定された量子化値  
【数５】
2013535912.tif 000007
【００６１】
５１７は、変換ブロック５２２へ渡され、浮動ＬＬＲ値  
【数６】
2013535912.tif 000008
【００６２】
５２３が提供される。１つの態様では、浮動ＬＬＲ値  
【数７】
2013535912.tif 000009
【００６３】
５２３は、逆量子化ブロック５３０に提供される。１つの態様では、量子化ブロック５１０において選択された量子化アルゴリズムの印が、固定された量子化値  
【数８】
2013535912.tif 000010
【００６４】
５１７とともにＬＬＲバッファ５２０内に格納され、入力された判定メトリクスｙｆｌｏａｔ５０１の復元が可能となる。したがって、本開示の１つの態様にしたがって実行される量子化は、選択的な量子化アルゴリズムの例として、ＬＬＲバッファ５２０格納必要量を低減しながら、初期量子化メトリクスｙｆｌｏａｔ５０１を維持する。
【００６５】
図５に再び示すように、逆量子化ブロック５３０は、入力された判定メトリクスｙｆｌｏａｔ５０１を示す判定メトリクス  
【数９】
2013535912.tif 000011
【００６６】
５３１を、復号前に出力する。再送信（ＲｅＴｘ）のために、判定メトリクス  
【数１０】
2013535912.tif 000012
【００６７】
５３１が判定ブロック５４０に渡され、結合ブロック５５０において結合される。新たな送信（新たなＴｘ）のために、結合ブロック５５０において、判定メトリクス  
【数１１】
2013535912.tif 000013
【００６８】
５３１のみが結合される。結合ブロック５５０へのその他の入力は、判定メトリクス  
【数１２】
2013535912.tif 000014
【００６９】
５０９である。これは、出力された変換値ｙｆｉｘ５０７としての変換ブロック５０６と、判定メトリクス  
【数１３】
2013535912.tif 000015
【００７０】
５０９を生成する変換ブロック５０８とから、生成される。結合ブロック５５０の出力は、飽和ブロック５５２と、例えばターボ復号器のような復号器５６０とに渡される。
【００７１】
１つの構成では、図５に示す選択的な量子化は、ＬＬＲ量子化による情報損失を犠牲にすることなく、低減されたＬＬＲバッファを可能にする。１つの態様では、情報損失は、例えば復号前に、伝送ブロックを示す判定メトリクスｙｆｌｏａｔ５０１の再生成または回復を可能にする、選択された量子化アルゴリズムの印と、量子化された判定メトリクス  
【数１４】
2013535912.tif 000016
【００７２】
５１７とを格納することによって低減される。代替態様では、固定された量子化アルゴリズムの例として、ｍｕ−ｌａｗ変換および逆ｍｕ−ｌａｗ変換が量子化ブロック５１０および逆量子化ブロック５３０においてそれぞれ実行さるる。
【００７３】
図６は、本開示の態様にしたがって、無線通信におけるメモリ必要量を低減するために、ログ尤度比（ＬＬＲ）を量子化するための方法６００を例示する。ブロック６１０において、量子化アルゴリズムが選択される。量子化アルゴリズムは、通信チャネルによって受信された伝送ブロックを示す判定メトリクスの特徴と、伝送ブロックの特徴と、および／または、通信チャネルの条件と、に応じて選択されうる。ブロック６１２では、伝送ブロックを示す少なくとも１つの量子化された判定メトリクスを生成するために、選択された量子化アルゴリズムを用いて、判定メトリクスが量子化される。ブロック６１４では、復号前に、伝送ブロックを示す判定メトリクスの回復を可能にするために、選択された量子化アルゴリズムの印と、量子化された判定メトリクスとが格納される。
【００７４】
１つの構成では、選択する手段、量子化する手段、および格納する手段のための手段を含むｅノードＢ１１０（ＵＥ１２０）が、無線通信のために構成される。１つの態様では、選択する手段は、コントローラ／プロセッサ４８０、および／または、メモリ４８２でありうる。量子化する手段は、前述された手段によって記載された機能を実行するように構成されたコントローラ／プロセッサ４８０、メモリ４８２、受信プロセッサ４５８、および／または、復調器４５４ａ−ｒでありうる。格納する手段は、コントローラ／プロセッサ４８０および／またはメモリ４８２、受信プロセッサ４５８、およびデータ・シンク４６０でありうる。別の態様では、前述した手段は、前述した手段によって記述された機能を実行するように構成されたモジュールまたは任意の装置でありうる。
【００７５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
本明細書の開示に関連して説明された方法またはアルゴリズムのステップは、ハードウェアで直接に、プロセッサによって実行されるソフトウェア・モジュールで、またはこの２つの組合せで実現されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７９】
本開示の前述した記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013535912.tif 000017
【図２】
2013535912.tif 000018
【図３】
2013535912.tif 000019
【図４】
2013535912.tif 000020
【図５】
2013535912.tif 000021
【図６】
2013535912.tif 000022
【国際調査報告】
2013535912.tif 000023
2013535912.tif 000024
2013535912.tif 000025